(57)【要約】【課題】見る人に大きな驚きを与えることができる光再帰性反射シートおよび光再帰性反射シートを備える物品を提供すること。【解決手段】本発明は、光再帰性反射要素２と、第１意匠層３と、第２意匠層４と、を備える。第１意匠層３には、第１意匠が描かれている。第１意匠層３は、光透過部分３０と光不透過部分３１とを有する。光不透過部分３１の色彩は、光再帰性反射要素２の色彩と同じもしくはほぼ同じである。第２意匠層４には、第２意匠が描かれている。第２意匠層４は、色彩部分４０を有する。色彩部分４０の色彩は、光不透過部分３１の色彩および光再帰性反射要素２の色彩と異なる。この結果、本発明は、見る人に大きな驚きを与えることができる。【選択図】        図１
2019158985.tif 000002
【特許請求の範囲】
【請求項１】
入射した光が反射して光源方向に帰る光再帰性反射要素と、
前記光再帰性反射要素の光が入射して再帰反射する側に設けられている第１意匠層と、
前記第１意匠層の前記光再帰性反射要素に対して反対側に設けられている光透過性の第２意匠層と、
を備え、
前記第１意匠層には、第１意匠が描かれていて、
前記第１意匠層は、光透過部分と光不透過部分とを有し、前記光不透過部分の色彩は、前記光再帰性反射要素の色彩と同じもしくはほぼ同じであり、
前記第２意匠層には、第２意匠が描かれていて、
前記第２意匠層は、色彩部分を有し、前記色彩部分の色彩は、前記光不透過部分の色彩および前記光再帰性反射要素の色彩と異なる、
ことを特徴とする光再帰性反射シート。
【請求項２】
前記第１意匠層の前記光透過部分は、空間である、
ことを特徴とする請求項１に記載の光再帰性反射シート。
【請求項３】
前記第１意匠層の前記光透過部分は、前記第２意匠層の一部分である、
ことを特徴とする請求項１に記載の光再帰性反射シート。
【請求項４】
物品と、
前記物品に設けられている前記の請求項１〜３のいずれか１項に記載の光再帰性反射シートと、
を備える、
ことを特徴とする光再帰性反射シートを備える物品。
【発明の詳細な説明】
【技術分野】
【０００１】
本発明は、光再帰性反射シートに関するものである。また、本発明は、光再帰性反射シートを備える物品に関するものである。
【背景技術】
【０００２】
光再帰性反射シートとしては、例えば、特許文献１に示すものがある。特許文献１の光再帰性反射シートは、光再帰性反射要素と、光再帰性反射要素の上方に施した透明な第１着色層と、第１着色層の上方もしくは下方に部分的に施した第２着色層と、を有し、第２着色層の色の色相、明度および彩度が第１着色層の色と同じであるかもしくはほぼ同じである。特許文献１の光再帰性反射シートは、第２着色層の色の色相、明度および彩度が第１着色層の色と同じであるかもしくはほぼ同じであるように構成することにより、通常の拡散光条件下では第２着色層に表現されている文字等を視認することができないが、光再帰性反射条件下ではこれらの文字等を視認することができる。
【先行技術文献】
【特許文献】
【０００３】
【特許文献１】特開２０００−３２１４１４号公報
【発明の概要】
【発明が解決しようとする課題】
【０００４】
しかしながら、特許文献１の光再帰性反射シートは、光再帰性反射要素の色が第１着色層の色および第２着色層の色と同じであるかもしくはほぼ同じであり、たとえば、シルバー色や赤色である。すなわち、通常の拡散光条件下で視認することができる第１着色層の色と、光再帰性反射条件下で視認することができる第２着色層の色とが、同じであるかもしくはほぼ同じである。この結果、特許文献１の光再帰性反射シートは、通常の拡散光条件下と光再帰性反射条件下とにおいて、光再帰性反射要素の色、第１着色層の色および第２着色層の色が見える。すなわち、通常の拡散光条件下で視認することができる第１着色層に描かれている意匠と、光再帰性反射条件下で視認することができる第２着色層に描かれている意匠とが大きく変化しない。これにより、特許文献１の光再帰性反射シートは、通常の拡散光条件下における見え方と光再帰性反射条件下における見え方との間の差が文字等を視認できないか視認できるかの差であり、見る人に大きな驚きを与えることができない。
【０００５】
本発明が解決しようとする課題は、見る人に大きな驚きを与えることができる光再帰性反射シートおよび光再帰性反射シートを備える物品を提供することにある。
【課題を解決するための手段】
【０００６】
本発明の光再帰性反射シートは、入射した光が反射して光源方向に帰る光再帰性反射要素と、光再帰性反射要素の光が入射して再帰反射する側に設けられている第１意匠層と、第１意匠層の光再帰性反射要素に対して反対側に設けられている光透過性の第２意匠層と、を備え、第１意匠層には、第１意匠が描かれていて、第１意匠層が、光透過部分と光不透過部分とを有し、光不透過部分の色彩が、光再帰性反射要素の色彩と同じもしくはほぼ同じであり、第２意匠層には、第２意匠が描かれていて、第２意匠層が、色彩部分を有し、色彩部分の色彩が、光不透過部分の色彩および光再帰性反射要素の色彩と異なる、ことを特徴とする。
【０００７】
本発明の光再帰性反射シートは、第１意匠層の光透過部分が、空間である、ことが好ましい。
【０００８】
本発明の光再帰性反射シートは、第１意匠層の光透過部分が、第２意匠層の一部分である、ことが好ましい。
【０００９】
本発明の光再帰性反射シートを備える物品は、物品と、物品に設けられている前記の光再帰性反射シート（特許請求の範囲の請求項１〜３のいずれか１項に記載の光再帰性反射シート）と、を備える、ことを特徴とする。
【発明の効果】
【００１０】
本発明は、見る人に大きな驚きを与えることができる光再帰性反射シートおよび光再帰性反射シートを備える物品を提供することができる。
【図面の簡単な説明】
【００１１】
【図１】図１は、本発明にかかる光再帰性反射シートおよび光再帰性反射シートを備える物品の実施形態１を示し、通常の拡散光条件下における観察状態の一部拡大断面説明図である。
【図２】図２は、光再帰性反射条件下における観察状態を示す一部拡大断面説明図である。
【図３】図３は、通常の拡散光条件下における観察状態を示す正面説明図（図５におけるＩＩＩ矢視図）である。
【図４】図４は、光再帰性反射条件下における観察状態を示す正面説明図である。
【図５】図５は、構成部品の分解状態を示す一部拡大断面説明図である。
【図６】図６は、第１意匠層を示す正面説明図（図５におけるＶＩ矢視図）である。
【図７】図７は、第１意匠層の変形例を示す説明図である。（Ａ）は、第１意匠層の一部拡大断面説明図である。（Ｂ）は、第１意匠層の正面説明図（図６に対応する正面説明図であって、図７（Ａ）におけるＢ矢視図）である。
【図８】図８は、図７の第１意匠層の変形例を光再帰性反射条件下で観察した状態を示す正面説明図（図４に対応する正面説明図）である。
【図９】図９は、本発明にかかる光再帰性反射シートおよび光再帰性反射シートを備える物品の実施形態２を示す概略一部拡大断面説明図である。
【図１０】図１０は、構成部品を示す一部拡大断面説明図である。
【発明を実施するための形態】
【００１２】
以下、本発明にかかる光再帰性反射シートおよび光再帰性反射シートを備える物品の実施形態（実施例）の２例および変形例の１例を図面に基づいて詳細に説明する。
【００１３】
本明細書および別紙の特許請求の範囲において、「光再帰性反射」とは、広い照射角にわたって、入射角の光路にほぼ沿う方向に、選択的に反射光が戻るような反射のことをいう。
【００１４】
また、本明細書および別紙の特許請求の範囲において、「色彩が同じもしくはほぼ同じである」とは、色差ΔＥが、明度、色相および彩度を考慮して総合的に表した場合（たとえば、日本工業規格ＪＩＳ  Ｚ８７３０の基準に従いＣＩＥ色差法により表した場合）、３．０以下、さらには、０であることを想定している。
【００１５】
さらに、本明細書および別紙の特許請求の範囲において、「色彩が異なる」とは、色差ΔＥが、明度、色相および彩度を考慮して総合的に表した場合（たとえば、日本工業規格ＪＩＳ  Ｚ８７３０の基準に従いＣＩＥ色差法により表した場合）、３．０を上回る関係であることを想定している。
【００１６】
（実施形態１の構成の説明）
図１〜図６は、本発明にかかる光再帰性反射シートおよび光再帰性反射シートを備える物品の実施形態１を示す。以下、この実施形態１にかかる光再帰性反射シートおよび光再帰性反射シートを備える物品の構成について説明する。図中、符号１は、この実施形態１にかかる光再帰性反射シートである。図中、符号１００は、この実施形態１にかかる光再帰性反射シート１を備える物品である。
【００１７】
（光再帰性反射シート１の説明）
光再帰性反射シート１は、図１、図２、図５に示すように、光再帰性反射要素２と、第１意匠層３と、光透過性の第２意匠層４と、クリア層（保護層、表面層）６と、粘着剤層（接着剤層）７と、基材（剥離ライナ、セパレータ）８と、を備える。
【００１８】
（光再帰性反射要素２の説明）
光再帰性反射要素２は、この例では、封入レンズ型光再帰性反射要素であり、「３Ｍ（登録商標）スコッチカル（登録商標）反射シート６８０シリーズの６８０−１０ホワイト」、「３Ｍ（登録商標）スコッチカル（登録商標）反射シート１５００シリーズの１５７０ホワイト」、「３Ｍ（登録商標）ハイゲイン反射シート７６１０シルバー」、「３Ｍ（登録商標）スコッチライト（登録商標）トランスファーフィルム８８５０シルバー」、「３Ｍ（登録商標）封入型ＩＪ５０００ホワイト」、「３Ｍ（登録商標）反射グラフィックフィルムＩＪ６８０−１０ホワイト」、「３Ｍ（登録商標）反射シートＰＶ−５５００ホワイト」などを使用する。
【００１９】
光再帰性反射要素２は、図１、図２、図５に示すように、多数個の光透過性の球体（ガラスビーズ）２０と、接着剤層（結合剤層、透明プラスチックフィルム）２１と、焦点樹脂層（焦点層、膠着剤）２２と、反射層（反射面）２３と、を有する。
【００２０】
球体２０は、この例では、直径が約３５〜１２０mmの高屈折率のガラス製の球体である。接着剤層２１および焦点樹脂層２２は、多数個の球体２０を両側（上下両側）から平面状に封入する。接着剤層２１の膜厚（厚さ）および焦点樹脂層２２の膜厚は、多数個の球体２０を平面状に封入し得るに十分な膜厚を有する。接着剤層２１および焦点樹脂層２２は、光透過性の材料からなる。接着剤層２１は、この例では、白色（ホワイト）もしくはシルバー色（シルバー）をなす。これにより、光再帰性反射要素２の色彩は、白色もしくはシルバー色をなす。なお、接着剤層２１が無色透明の場合には、この接着剤層２１の一面（球体２０側と反対側の面）に光透過性の白色もしくはシルバー色の印刷層を設ける。
【００２１】
反射層２３は、焦点樹脂層２２側に形成されている。すなわち、反射層２３は、焦点樹脂層２２のうち、球体２０に対して反対側の面に形成されている。反射層２３は、球体２０の中心と同心もしくはほぼ同心の球面の一部から形成されている。反射層２３は、アルミなどの金属層からなる。
【００２２】
ここで、光再帰性反射要素２における光再帰性反射について図１、図２を参照して説明する。光源（図示せず）からの光Ｌ１、Ｌ３は、接着剤層２１および球体２０を透過し、かつ、球体２０を透過する際に、球体２０の表面（界面）で屈折して、反射層２３上にある焦点（図示せず）に収束する（集まる）。焦点に収束した光は、反射層２３で反射して反射光Ｌ１０、Ｌ３０として、再び球体２０および接着剤層２１を透過し、かつ、球体２０を透過する際に、球体２０の表面（界面）で屈折して、入射光と平行もしくはほぼ平行に光源方向に戻る。
【００２３】
（第１意匠層３の説明）
第１意匠層３は、図１、図２、図５に示すように、光再帰性反射要素２のうち、光が入射して再帰反射する側、すなわち、光再帰性反射要素２の接着剤層２１側に設けられている（積層されている）。
【００２４】
第１意匠層３には、第１意匠が描かれている。第１意匠は、この例では、図４、図６に示すように、「ＴＯＫＹＯ」の文字である。第１意匠層３は、図１、図２、図４〜図６に示すように、光透過部分３０と、光不透過部分３１と、を有する。なお、第１意匠としては、「ＴＯＫＹＯ」の文字以外に、ロゴなどであっても良い。
【００２５】
光透過部分３０は、この例では、空間部分であり、「ＴＯＫＹＯ」の文字に対応する。すなわち、光透過部分３０は、いわゆる抜け文字である。光不透過部分３１は、この例では、光透過部分３０の「ＴＯＫＹＯ」の文字のバック部分である。光不透過部分３１は、この例では、白色もしくはシルバー色をなす。
【００２６】
第１意匠層３の光不透過部分３１は、光再帰性反射要素２の接着剤層２１に、樹脂系不透明インク（光不透過性のインク）をスクリーン印刷法、グラビア印刷法等の常用の印刷法を使用して印刷されている。特に、スクリーン印刷により第１意匠層３の光不透過部分３１を形成することが好ましい。第１意匠層３の光不透過部分３１の膜厚は、この例では、約２〜２０μｍの膜厚である。なお、第１意匠層３の光不透過部分３１の膜厚は、所望とする効果やその形成方法によって広く変更することができ、約２〜２０μｍ以外の膜厚であっても良い。
【００２７】
光不透過部分３１の色彩（色）の色相、明度および彩度は、光再帰性反射要素２の色彩（色）の色相、明度および彩度と同じもしくはほぼ同じであって、この例では、白色もしくはシルバー色をなす。これにより、光透過部分３０の「ＴＯＫＹＯ」の文字は、同じ色彩である光不透過部分３１の白色もしくはシルバー色と光再帰性反射要素２の白色もしくはシルバー色とにより、カムフラージュ（隠蔽）されて、人の目９では、視認することが難しいかもしくはできない。
【００２８】
すなわち、第１意匠層３のみを、光再帰性反射要素２と反対側から見ると、図６に示すように、見える。すなわち、光不透過部分３１は、白色もしくはシルバー色のバック部分（図６中斜めの破線が施されている部分）として見え、一方、光透過部分３０は、透かした「ＴＯＫＹＯ」の抜け文字として見える。
【００２９】
そして、第１意匠層３を光再帰性反射要素２の接着剤層２１に重ねた状態で光再帰性反射要素２と反対側から見る。すると、光透過部分３０の抜け文字の「ＴＯＫＹＯ」には、光再帰性反射要素２の白色もしくはシルバー色が見える。この結果、光透過部分３０の「ＴＯＫＹＯ」の文字は、光不透過部分３１のバック部分の白色もしくはシルバー色と同じ白色もしくはシルバー色で見える。これにより、光透過部分３０の「ＴＯＫＹＯ」の文字は、同じ色彩である光不透過部分３１の白色もしくはシルバー色と光再帰性反射要素２の白色もしくはシルバー色とにより、カムフラージュ（隠蔽）されて、人の目９では、視認することが難しいかもしくはできない。
【００３０】
（光透過性の第２意匠層４の説明）
光透過性の第２意匠層４（以下、単に「第２意匠層４」と称する）は、図１、図２、図５に示すように、第１意匠層３の光再帰性反射要素２と反対側に設けられている（積層されている）。
【００３１】
第２意匠層４には、第２意匠が描かれている。第２意匠は、この例では、図３に示すように、９人のランナーが走っているイラストである。第２意匠層４は、色彩部分４０を有している。色彩部分４０は、この例では、第２意匠層４全体に亘っている。なお、色彩部分４０は、第２意匠層４に対して一部分であっても良い。
【００３２】
第２意匠層４の色彩部分４０の色彩（色）の色相、明度および彩度は、光不透過部分３１の色彩（色）の色相、明度および彩度と、光再帰性反射要素２の色彩（色）の色相、明度および彩度と、それぞれ異なる。なお、色彩部分４０の色彩の一部が、光不透過部分３１の色彩および光再帰性反射要素２の色彩と同じもしくはほぼ同じであっても良い。
【００３３】
第２意匠層４の色彩部分４０は、第１意匠層３の光再帰性反射要素２と反対側に、樹脂系透明インク（光透過性のインク）をスクリーン印刷法、グラビア印刷法等の常用の印刷法を使用して印刷されている。特に、スクリーン印刷により第２意匠層４の色彩部分４０を形成することが好ましい。第２意匠層４の色彩部分４０の膜厚は、この例では、約２〜２０μｍの膜厚である。なお、第２意匠層４の色彩部分４０の膜厚は、所望とする効果やその形成方法によって広く変更することができ、約２〜２０μｍ以外の膜厚であっても良い。
【００３４】
（クリア層６、粘着剤層７、基材８の説明）
クリア層６は、光再帰性反射要素２のうち、第１意匠層３および第２意匠層４側に設けられている（積層されている）。クリア層６は、光再帰性反射要素２、第１意匠層３および第２意匠層４を保護する保護膜として作用する。このため、クリア層６は、本来必須の性質である透明性に加えて、耐候性および耐熱性を有することが望ましく、好ましくは、そのような性質を満足させる各種の樹脂のなかから適当な樹脂を選択して形成することができる。また、クリア層６は、その下地である第２意匠層４との良好な密着性を有することも望ましい。クリア層６を形成するための樹脂としては、以下に列挙するものに限定されないけれども、ポリエステル樹脂、ポリエチレン樹脂、ウレタン樹脂、塩化ビニル樹脂、アクリル樹脂、弗化ビニリデン樹脂などを挙げることができる。
【００３５】
また、このクリア層６の膜厚は、所望とする効果などによって広く変更し得るというものの、通常、約５〜１００μｍの範囲であるのが好ましく、さらに好ましくは、約２０〜７５μｍの範囲である。すなわち、クリア層６の膜厚は、シート全体のフレキシビリティを損なわない程度であるならば、特に限定されるものではない。さらに、このクリア層６の追加の作用効果として、シート表面に対する光沢の付与なども期待できる。
【００３６】
基材８は、光再帰性反射要素２のうち、第１意匠層３および第２意匠層４に対して反対側すなわち焦点樹脂層２２側に粘着剤層７を介して設けられている（積層されている）。基材８は、光再帰性反射シート１を支承し、かつその取扱や貼付を容易にする。基材８としては、剥離ライナーを有利に使用することができる。剥離ライナー付きの粘着剤層７は、商業的に入手可能である。このような基材８（剥離ライナー）付きの粘着剤層７を光再帰性反射シート１に併用することを通じて、ユーザー一般が任意の物品に容易に貼り付けることが可能になる。
【００３７】
（物品１００の説明）
物品１００は、この例では、ポスターである。ポスターである物品（以下、「ポスター」と称する）１００は、この例では、樹脂製からなる。なお、ポスター１００の色彩は、任意の色彩で良く、また、ポスター１００は、光透過性でも光不透過性でも良いし、さらに、ポスター１００の材料は、樹脂以外の材料であっても良い。また、ポスター１００は、この例では、長方形の平板からなる。
【００３８】
ポスター１００の一面（もしくは両面）には、光再帰性反射シート１が設けられている。すなわち、光再帰性反射シート１の基材８を粘着剤層７から剥離し、光再帰性反射シート１の粘着剤層７をポスター１００の扇部１０１の一面（もしくは両面）に貼り付ける。ここで、図１、図２、図５において、ポスター１００と基材８とは、同一の物に示されている。すなわち、光再帰性反射シート１の場合は、基材８であり、光再帰性反射シート１をポスター１００に貼り付けた場合は、ポスター１００である。なお、図１、図２、図５の断面図において、ポスター１００の場合、ポスター１００の厚さは、基材８の厚さよりも厚くなる。
【００３９】
（実施形態１の作用の説明）
この実施形態１にかかる光再帰性反射シート１およびポスター１００は、以上のごとき構成からなり、以下、その作用について説明する。ここで、「通常の拡散光条件下」とは、自然光や照明光などの拡散光Ｌ１、Ｌ２が光再帰性反射シート１およびポスター１００に当たっている状態を言う。また、「光再帰性反射条件下」とは、車両のヘッドライトからの照射光や携帯電子機器（スマートフォン、タブレットなど）に搭載されている発光素子からの閃光などの指向性が強い光Ｌ３、Ｌ４が光再帰性反射シート１およびポスター１００に照射されている状態を言う。なお、光再帰性反射シート１およびポスター１００の観察状態は、昼夜、屋内屋外を問わない。
【００４０】
（通常の拡散光条件下の説明）
まず、通常の拡散光条件下における作用について図１、図３を参照して説明する。自然光や照明光などの拡散光Ｌ１が光再帰性反射シート１およびポスター１００に当たる。すると、拡散光の一部Ｌ１は、図１に示すように、クリア層６および第２意匠層４を透過して第１意匠層３の光透過部分３０に向かう。この拡散光Ｌ１は、光透過部分３０を透過して光再帰性反射要素２で再帰反射する。再帰反射した反射光Ｌ１０は、再び、光透過部分３０、第２意匠層４およびクリア層６を透過して外部に出射する。この反射光Ｌ１０は、光再帰性反射要素２の接着剤層２１の白色もしくはシルバー色が反映されていて白色もしくはシルバー色をなす。入射側の拡散光Ｌ１の光路と、出射側の反射光Ｌ１０の光路とは、平行もしくはほぼ平行である。
【００４１】
ここで、クリア層６を透過して光透過部分３０に向かう拡散光Ｌ１の一部は、図１に示すように、第２意匠層４で反射して、反射光Ｌ１１として、再びクリア層６を透過して外部に出射する。この反射光Ｌ１１は、第２意匠層４の色彩部分４０の色彩が反映されている。
【００４２】
また、拡散光の残りの一部Ｌ２は、図１に示すように、クリア層６および第２意匠層４を透過して第１意匠層３の光不透過部分３１に向かう。この拡散光Ｌ２は、光不透過部分３１で反射して、反射光Ｌ２０として再び第２意匠層４およびクリア層６を透過して外部に出射する。この反射光Ｌ２０は、光不透過部分３１の白色もしくはシルバー色が反映されていて白色もしくはシルバー色をなす。
【００４３】
ここで、クリア層６を透過して光不透過部分３１に向かう拡散光Ｌ２の一部は、図１に示すように、第２意匠層４で反射して、反射光Ｌ２１として、再びクリア層６を透過して外部に出射する。この反射光Ｌ２１は、第２意匠層４の色彩部分４０の色彩が反映されている。
【００４４】
このように、通常の拡散光条件下においては、図１に示すように、第２意匠層４からの反射光Ｌ１１、Ｌ２１が人の目９に入るので、第２意匠層４に描かれている第２意匠（９人のランナーが走っているイラストであって、図３を参照）を視認することができる。
【００４５】
この時、光再帰性反射要素２からの反射光Ｌ１０および第１意匠層３の光不透過部分３１からの反射光Ｌ２０も人の目９に入る。しかしながら、光再帰性反射要素２の色彩と第１意匠層３の光不透過部分３１の色彩とは、同じもしくはほぼ同じである白色もしくはシルバー色である。このため、第１意匠層３の光透過部分３０の抜け文字の「ＴＯＫＹＯ」は、カムフラージュ（隠蔽）されて、視認することが難しいかもしくはできない。
【００４６】
（光再帰性反射条件下の説明）
つぎに、光再帰性反射条件下における作用について図２、図４を参照して説明する。なお、図４は、符号「３０」「３１」の引き出し線を明確にするために、引き出し線の周囲の黒地部分（黒色部分）を白抜き（白色部分、図面の地色部分）で図示する。しかしながら、実物は、黒地（黒色）に見える。
【００４７】
指向性が強い光Ｌ２が光再帰性反射シート１およびポスター１００に照射される。すると、指向性が強い光の一部Ｌ３は、図２に示すように、クリア層６および第２意匠層４を透過して第１意匠層３の光透過部分３０に向かう。この指向性が強い光Ｌ３は、光透過部分３０を透過して光再帰性反射要素２で再帰反射する。再帰反射した反射光Ｌ３０は、再び、光透過部分３０、第２意匠層４およびクリア層６を透過して外部に出射する。この反射光Ｌ３０は、光再帰性反射要素２の接着剤層２１の白色もしくはシルバー色が反映されていて白色もしくはシルバー色をなす。入射側の拡散光Ｌ３の光路と、出射側の反射光Ｌ３０の光路とは、平行もしくはほぼ平行である。
【００４８】
また、指向性が強い光の残りの一部Ｌ４は、図２に示すように、クリア層６および第２意匠層４を透過して第１意匠層３の光不透過部分３１に向かう。この指向性が強い光Ｌ４は、光不透過部分３１において吸収される。このため、光不透過部分３１は、黒色の影として見える。
【００４９】
これにより、光再帰性反射条件下において、光源の近傍から光再帰性反射シート１およびポスター１００を見る。すると、白色もしくはシルバー色をなすこの反射光Ｌ３０が人の目９に入るので、通常の拡散光条件下において見えなかった（図３を参照）第１意匠層３に描かれている第１意匠すなわち「ＴＯＫＹＯ」の文字が、図４に示すように、黒色のバック部分に白色もしくはシルバー色で浮かんで見える。
【００５０】
この時、第２意匠層４に描かれている第２意匠（９人のランナーが走っているイラストであって、図３を参照）は、指向性が強い光Ｌ３の反射光Ｌ３０およびバック部分の黒色により、視認することが難しいかもしくはできない。
【００５１】
ここで、図２に示すように、指向性が強い光Ｌ３、Ｌ４２を光再帰性反射シート１およびポスター１００に、垂直もしくはほぼ垂直に照射させることにより、白色もしくはシルバー色の反射光Ｌ３０の光量は、さらに多くなる。また、指向性が強い光Ｌ３、Ｌ４の光源の近傍に人の目７を位置させることにより、人の目７に入る白色もしくはシルバー色の反射光Ｌ３０の光量は、さらに多くなる。これにより、第１意匠層３の第１意匠の「ＴＯＫＹＯ」の文字が、黒色のバック部分に白色もしくはシルバー色でさらにはっきりと見える。
【００５２】
なお、指向性が強い光Ｌ３、Ｌ４を光再帰性反射シート１およびうちわ１００に斜めに照射させても、垂直もしくはほぼ垂直に照射させた場合とほぼ同様に、第１意匠層３の第１意匠の「ＴＯＫＹＯ」の文字が、黒色のバック部分に白色もしくはシルバー色で見える。
【００５３】
（実施形態１の効果の説明）
この実施形態１にかかる光再帰性反射シート１およびポスターである物品１００は、以上のごとき構成および作用からなり、以下、その効果について説明する。
【００５４】
この実施形態１にかかる光再帰性反射シート１および物品１００は、通常の拡散光条件下においては第２意匠層４に描かれている第２意匠（図３を参照）を視認することができ、かつ、光再帰性反射条件下においては第１意匠層３に描かれている第１意匠（図４を参照）を視認することができる。このように、この実施形態１にかかる光再帰性反射シート１および物品１００は、通常の拡散光条件下と光再帰性反射条件下とにより、全く異なる第１意匠と第２意匠とを表現することができる。
【００５５】
この実施形態１にかかる光再帰性反射シート１および物品１００は、通常の拡散光条件下で視認することができる第２意匠層４の色彩部分４０の色彩と、光再帰性反射条件下で視認することができる第１意匠層３の光不透過部分３１および光再帰性反射要素２の色彩とが、異なる。この結果、この実施形態１にかかる光再帰性反射シート１および物品１００は、通常の拡散光条件下で視認することができる第１着色層の色と光再帰性反射条件下で視認することができる第２着色層の色とが同じであるかもしくはほぼ同じである特許文献１の光再帰性反射シートと比較して、通常の拡散光条件下で視認することができる第２意匠層に描かれている第２意匠（図３を参照）と、光再帰性反射条件下で視認することができる第１意匠層に描かれている第１意匠（図４を参照）とが大きく変化する。これにより、この実施形態１にかかる光再帰性反射シート１および物品１００は、見る人に大きな驚き（インパクト）を与えることができる。
【００５６】
すなわち、この実施形態１にかかる光再帰性反射シート１および物品１００は、色彩が相互に異なる光再帰性反射要素２と第２意匠層４との間に、色彩が光再帰性反射要素２と同じであるかもしくはほぼ同じである第１意匠層３を挟み込んだものである。この結果、この実施形態１にかかる光再帰性反射シート１および物品１００は、通常の拡散光条件下と光再帰性反射条件下とにより、全く異なる第１意匠と第２意匠とを表現することができ、しかも、第１意匠と第２意匠との変化が大きく、見る人に大きな驚き（インパクト）を与えることができる。
【００５７】
特に、携帯電子機器に搭載されている発光素子からの閃光などであって指向性が非常に強い光Ｌ３、Ｌ４の光再帰性反射条件下においては、第１意匠層３の第１意匠の「ＴＯＫＹＯ」の文字がさらにはっきりと見える。しかも、携帯電子機器は、光源としての発光素子と人の目９に対応する撮像素子（画像素子、イメージセンサ、画像センサ）とが近接して配置されているので、撮像された画像（イメージ）において、第１意匠層３の第１意匠の「ＴＯＫＹＯ」の文字がさらにはっきりと見える。
【００５８】
この実施形態１にかかる光再帰性反射シート１および物品１００は、指向性が強い光Ｌ３、Ｌ４を照射する装置や機器などがあれば、何時でも何処でも、第２意匠層４に描かれている第２意匠を第１意匠層３に描かれている第１意匠に変えることができる。現在、殆どの人が所持している携帯電子機器は、特に指向性が強い光Ｌ３、Ｌ４を照射する発光素子を搭載している。これにより、この実施形態１にかかる光再帰性反射シート１および物品１００は、殆どの人が何時でも何処でも、第２意匠を第１意匠に変えて見て楽しむことができる。
【００５９】
この実施形態１にかかる光再帰性反射シート１および物品１００は、第１意匠層３の光透過部分３０が空間である。この結果、この実施形態１にかかる光再帰性反射シート１および物品１００は、光再帰性反射条件下で、光透過部分３０を透過して光再帰性反射要素２で再帰反射して再び光透過部分３０を透過する反射光Ｌ３０において吸収による影響が小さい。これにより、この実施形態１にかかる光再帰性反射シート１および物品１００は、十分な光量（十分に強い光）の反射光Ｌ３０が得られるので、光再帰性反射条件下での第１意匠層３に描かれている第１意匠がはっきりと見える。
【００６０】
（第１意匠層３の変形例の説明）
図７、図８は、前記の実施形態１にかかる光再帰性反射シート１および物品１００の第１意匠層３の変形例を示す。以下、この第１意匠層３の変形例について説明する。図中、図１〜図６と同符号は、同一のものを示す。なお、図８は、符号「３１」の引き出し線を明確にするために、引き出し線の周囲の黒地部分（黒色部分）を白抜き（白色部分、図面の地色部分）で図示する。しかしながら、実物は、黒地（黒色）に見える。
【００６１】
前記の実施形態１にかかる光再帰性反射シート１および物品１００の第１意匠層３は、第１意匠の「ＴＯＫＹＯ」の文字が空間部分である光透過部分３０からなるいわゆる抜け文字であり、一方、白色もしくはシルバー色をなす光不透過部分３１がバック部分となる。これに対して、この第１意匠層３の変形例は、第１意匠の「ＴＯＫＹＯ」の文字がこの例では白色もしくはシルバー色をなす光不透過部分３１（図７（Ｂ）中斜めの破線が施されている部分）からなる。一方、空間部分からなる光透過部分３０がバック部分となる。
【００６２】
この第１意匠層３の変形例は、以上のごとき構成からなるので、通常の拡散光条件下では、前記の実施形態１にかかる光再帰性反射シート１および物品１００の第１意匠層３と同様に、第２意匠層４に描かれている第２意匠（図３を参照）を視認することができる。また、第１意匠層３の第１意匠である光不透過部分３１の白色もしくはシルバー色をなす「ＴＯＫＹＯ」の文字は、第１意匠層３の光透過部分３０を透過する光再帰性反射要素２の白色もしくはシルバー色をなす光不透過部分３１によりカムフラージュ（隠蔽）されて、視認することが難しいかもしくはできない。
【００６３】
光再帰性反射条件下では、図８に示すように、第１意匠層３の第１意匠である光不透過部分３１の「ＴＯＫＹＯ」の文字が、第１意匠層３の光透過部分３０の白色もしくはシルバー色をなすバック部分に対して、黒く沈んで見える。
【００６４】
この第１意匠層３の変形例は、以上のごとき構成、作用からなるので、前記の実施形態１にかかる光再帰性反射シート１および物品１００の第１意匠層３とほぼ同様の効果を達成することができる。
【００６５】
（実施形態２の説明）
図９、図１０は、本発明にかかる光再帰性反射シート１Ａおよび物品１００の実施形態２を示す。以下、この実施形態２にかかる光再帰性反射シート１Ａおよび物品１００について説明する。図中、図１〜図８と同符号は、同一のものを示す。なお、図９において、クリア層６、粘着剤層７、基材８および物品１００の図示を省略し、かつ、光再帰性反射要素２の詳細を省略して略図とする。
【００６６】
前記の実施形態１にかかる光再帰性反射シート１および物品１００は、第１意匠層３の光透過部分３０が空間である。これに対して、この実施形態２にかかる光再帰性反射シート１Ａおよび物品１００は、第１意匠層３の光透過部分３０が第２意匠層４の一部分４１、すなわち、第２意匠層４の色彩部分４０の一部分である。
【００６７】
この実施形態２にかかる光再帰性反射シート１Ａおよび物品１００は、以上のごとき構成からなるので、前記の実施形態１にかかる光再帰性反射シート１および物品１００とほぼ同様の作用効果を達成することができる。
【００６８】
（実施形態１以外の例の説明）
なお、前記の実施形態１、２および変形例においては、光再帰性反射要素２として、封入レンズ型光再帰性反射要素を使用するものである。しかしながら、本発明においては、光再帰性反射要素２として、封入レンズ型光再帰性反射要素以外に、例えば、カプセルレンズ型光再帰性反射要素やプリズム型光再帰性反射要素などを使用しも良い。
【００６９】
また、前記の実施形態１、２および変形例においては、物品１００としてポスター１００を使用するものである。しかしながら、本発明においては、物品としてポスター１００以外の物品であっても良い。
【００７０】
たとえば、物品として、プレートを使用し、このプレートに光再帰性反射シート１を貼り付けて、装飾物として使用する。また、物品として、化学繊維（人造繊維）や天然繊維を使用し、この繊維に光再帰性反射シート１を貼り付けて、夜間作業者の安全ベスト、布地、衣服、帽子、靴、アクセサリー、腕章、鞄、リュック、傘、バンド、ブレスレット、横断幕などとして使用する。さらに、物品として、車両を使用して、この車両に光再帰性反射シート１を貼り付けて、宣伝広告、標識、識別文字などとして使用する。さらにまた、物品として、壁材などの建築材や柱や壁などの建築物などを使用して、この建築材や建築物などに光再帰性反射シート１を貼り付けて、宣伝広告、標識、識別文字などとして使用する。
【００７１】
さらに、前記の実施形態１、２および変形例においては、光再帰性反射シート１を物品１００に取り付ける手段としては、粘着剤層７による貼り付けである。しかしながら、光再帰性反射シート１を物品１００に取り付ける手段としては、粘着剤層７による貼り付け以外の手段であっても良い。たとえば、ホットメルト接着剤など、あるいは、溶着や逢着などである。
【００７２】
さらにまた、前記の実施形態１、２および変形例においては、第１意匠層３の第１意匠が「ＴＯＫＹＯ」の文字であり、第２意匠４の第２意匠が９人のランナーが走っているイラストである。しかしながら、本発明においては、第２意匠がレンガ造りの壁であり、第１意匠が「注意」などの文字であり、または、第２意匠が青空の風景であり、第１意匠が星空の風景であり、または、第２意匠が著名人の横顔であり、第１意匠がその著名人を模したイラストであっても良い。さらに、第１意匠として人間の顔を描き、第２意匠として第１意匠の人間の顔の表情と異なった（変化させた）顔（笑顔、泣き顔、悲しい顔、楽しい顔、怒っている顔など）を描いても良い。
【００７３】
なお、本発明は、前記の実施形態１、２および変形例により限定されるものではない。すなわち、本発明の光再帰性反射シートは、光再帰性反射要素２と、第１意匠層３と、光透過性の第２意匠層４と、を備えるものであれば良く、クリア層６、粘着剤層７および基材８を備えなくとも良い。
【産業上の利用可能性】
【００７４】
本発明は、たとえば道路標識、工事標識等の標識類、自動車やオートバイ等の視認テープ、衣類、救命具等の安全資材類、看板等のマーキング、暗所で使用されるポスター、アクセサリーなどの小物にも適用することができる。
【符号の説明】
【００７５】
１、１Ａ、１Ｂ  光再帰性反射シート
１００  物品（ポスター）
２  光再帰性反射要素
２０  球体
２１  接着剤層
２２  焦点樹脂層
２３  反射層
３  第１意匠層
３０  光透過部分
３１  光不透過部分
４  光透過性の第２意匠層（第２意匠層）
４０  色彩部分
４１  光透過部分
６  クリア層
７  粘着剤層
８  基材
９  目
Ｌ１  拡散光（光透過部分に向かう拡散光）
Ｌ１０  反射光（光透過部分を透過した拡散光であって再び光透過部分を透過した再帰反射光）
Ｌ１１  反射光（光透過部分に向かう拡散光であって第２意匠層で反射した反射光）
Ｌ２  拡散光（光不透過部分に向かう拡散光）
Ｌ２０  反射光（光不透過部分に当たった拡散光であって光不透過部分で反射した反射光）
Ｌ２１  反射光（光不透過部分に向かう拡散光であって第２意匠層で反射した反射光）
Ｌ３  指向性が強い光（光透過部分に向かう指向性が強い光）
Ｌ３０  反射光（光透過部分を透過した指向性が強い光であって再び光透過部分を透過した再帰反射光）
Ｌ４  指向性が強い光（光不透過部分に向かう指向性が強い光）
【図１】
2019158985.tif 000003
【図２】
2019158985.tif 000004
【図３】
2019158985.tif 000005
【図４】
2019158985.tif 000006
【図５】
2019158985.tif 000007
【図６】
2019158985.tif 000008
【図７】
2019158985.tif 000009
【図８】
2019158985.tif 000010
【図９】
2019158985.tif 000011
【図１０】
2019158985.tif 000012